【手続補正書】
【提出日】平成20年5月22日(2008.5.22)
【手続補正１】
【補正対象書類名】明細書
【補正対象項目名】特許請求の範囲
【補正方法】変更
【補正の内容】
【特許請求の範囲】
【請求項１】  イベントを含むマルチメディアデータと共に、前記イベントの発生時刻を記録するサーバと、該サーバに記録された前記マルチメディアデータを再生するクライアントと、を有する文書作成システムであって、
前記クライアントは、前記マルチメディアデータの表示している映像から所定の期間に含まれる前記イベントの発生時刻を時間軸に沿って表示し、該表示の内容に基づいて、前記マルチメディアデータの所定の部分を指定させ、該所定の部分を指定するデータを生成することを特徴とする文書作成システム。
【請求項２】  イベントを含むマルチメディアデータと共に、前記イベントの発生時刻を記録する文書作成サーバであって、
ネットワークを介して接続されたクライアントに、該クライアントにおいて表示されている映像から所定の期間に含まれる前記イベントの発生時刻を時間軸に沿って表示させ、該表示の内容に基づいて、前記マルチメディアデータの所定の部分の指定をユーザに入力させ、該所定の部分を指定するデータを生成させることを特徴とする文書作成サーバ。
【請求項３】  前記クライアントに、前記再生する期間以外も再生するデータを含ませて、前記再生する期間を指定するデータを生成させ、又は前記再生する期間を指定するデータとして、表示対象となる前記マルチメディアデータを識別する情報と、前記再生する期間を指定する情報と、を含むデータを生成させることを特徴とする請求項２記載の文書作成サーバ。
【請求項４】  イベントを含むマルチメディアデータと共に、前記イベントの発生時刻を記録したサーバを機能させるための文書作成プログラムであって、
ネットワークを介して接続されたクライアントから指定された前記マルチメディアデータの所定の部分のデータを前記クライアントへ送信する処理を前記サーバに実行させるための文書作成プログラム。
【請求項５】  イベントを含むマルチメディアデータと共に、前記イベントの発生時刻を記録したサーバにネットワークを介して接続するクライアントを機能させるための文書作成プログラムであって、
前記クライアントに、表示している映像から所定の期間に含まれる前記イベントの発生時刻を時間軸に沿って表示させ、該表示の内容に基づいて、前記マルチメディアデータの所定の部分の指定をユーザに入力させ、該所定の部分を指定するデータを生成させる処理を実行させるための文書作成プログラム。
【請求項６】  前記クライアントに、前記再生する期間以外も再生するデータを含ませて、前記再生する期間を指定するデータを生成させ、又は前記再生する期間を指定するデータとして、表示対象となる前記マルチメディアデータを識別する情報と、前記再生する期間を指定する情報と、を含むデータを生成させることを特徴とする請求項５記載の文書作成プログラム。
【請求項７】  イベントを含むマルチメディアデータと共に、前記イベントの発生時刻を記録したサーバを機能させるための文書作成プログラムを記録した記録媒体であって、
ネットワークを介して接続されたクライアントから指定された前記マルチメディアデータの所定の部分のデータを前記クライアントへ送信する処理を前記サーバに実行させるための文書作成プログラムを記録した記録媒体。
【請求項８】  前記イベントは、発話又は加筆であることを特徴とする請求項７記載の文書作成プログラムを記録した記録媒体。
【請求項９】  イベントを含むマルチメディアデータと共に、前記イベントの発生時刻を記録したサーバにネットワークを介して接続するクライアントを機能させるための文書作成プログラムを記録した記録媒体であって、
前記クライアントに、表示している映像から所定の期間に含まれる前記イベントの発生時刻を時間軸に沿って表示させ、該表示の内容に基づいて、前記マルチメディアデータの所定の部分の指定をユーザに入力させ、該所定の部分を指定するデータを生成させる処理を実行させるための文書作成プログラムを記録した記録媒体。
【請求項１０】  前記クライアントに、前記再生する期間以外も再生するデータを含ませて、前記再生する期間を指定するデータを生成させ、又は前記再生する期間を指定するデータとして、表示対象となる前記マルチメディアデータを識別する情報と、前記再生する期間を指定する情報と、を含むデータを生成させることを特徴とする請求項９記載の文書作成プログラムを記録した記録媒体。
【手続補正２】
【補正対象書類名】明細書
【補正対象項目名】００２３
【補正方法】変更
【補正の内容】
【００２３】
更に、請求項３記載の発明は、クライアントに、再生する期間以外も再生するデータを含ませて、再生する期間を指定するデータを生成させ、又は再生する期間を指定するデータとして、表示対象となるマルチメディアデータを識別する情報と、再生する期間を指定する情報と、を含むデータを生成させることを特徴としている。
【手続補正３】
【補正対象書類名】明細書
【補正対象項目名】００２４
【補正方法】変更
【補正の内容】
【００２４】
これにより、請求項３記載の発明では、範囲指定されたマルチメディアデータを表示する際に、簡単な操作により指定範囲外のマルチメディアデータを表示することが可能となり、ユーザ毎に異なる要求に対応することが可能となる。また、マルチメディアデータ自体は、ネットワーク中に一つだけ保存しておき、文書中には必要な部分だけを指定するポインタ情報を含めるだけでよいため、送信対象のデータ量が削減され、文書の扱いを簡単化することが可能となる。
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】変更
【補正の内容】
【００２９】
また、請求項４記載の発明は、イベントを含むマルチメディアデータと共に、イベントの発生時刻を記録したサーバを機能させるための文書作成プログラムであって、ネットワークを介して接続されたクライアントから指定されたマルチメディアデータの所定の部分のデータをクライアントへ送信する処理を前記サーバに実行させる。
【手続補正９】
【補正対象書類名】明細書
【補正対象項目名】００３０
【補正方法】変更
【補正の内容】
【００３０】
これにより、請求項４記載の発明では、時間的に変化するマルチメディアデータの中から、必要な部分だけを容易に選択することで、価値の高いマルチメディア文書を簡単に作成する環境を提供することが可能となる。
【手続補正１０】
【補正対象書類名】明細書
【補正対象項目名】００３１
【補正方法】変更
【補正の内容】
【００３１】
また、請求項５記載の発明は、イベントを含むマルチメディアデータと共に、イベントの発生時刻を記録したサーバにネットワークを介して接続するクライアントを機能させるための文書作成プログラムであって、クライアントに、表示している映像から所定の期間に含まれるイベントの発生時刻を時間軸に沿って表示させ、表示の内容に基づいて、マルチメディアデータの所定の部分の指定をユーザに入力させ、所定の部分を指定するデータを生成させる処理を実行させる。
【手続補正１１】
【補正対象書類名】明細書
【補正対象項目名】００３２
【補正方法】変更
【補正の内容】
【００３２】
これにより、請求項５記載の発明では、送信側及び受信側のユーザにとって簡易な機能で容易に動画データを編集することが可能となる。
【手続補正１２】
【補正対象書類名】明細書
【補正対象項目名】００３３
【補正方法】変更
【補正の内容】
【００３３】
即ち、請求項５記載の発明によれば、時間的に変化するマルチメディアデータの中から、必要な部分だけを容易に選択することで、価値の高いマルチメディア文書を簡単に作成する環境を提供することが可能となる。
【手続補正１３】
【補正対象書類名】明細書
【補正対象項目名】００３４
【補正方法】変更
【補正の内容】
【００３４】
更に、請求項６記載の発明は、クライアントに、再生する期間以外も再生するデータを含ませて、再生する期間を指定するデータを生成させ、又は再生する期間を指定するデータとして、表示対象となるマルチメディアデータを識別する情報と、再生する期間を指定する情報と、を含むデータを生成させることを特徴としている。
【手続補正１４】
【補正対象書類名】明細書
【補正対象項目名】００３５
【補正方法】変更
【補正の内容】
【００３５】
これにより、請求項６記載の発明では、範囲指定されたマルチメディアデータを表示する際に、簡単な操作により指定範囲外のマルチメディアデータを表示することが可能となり、ユーザ毎に異なる要求に対応することが可能となる。また、マルチメディアデータ自体は、ネットワーク中に一つだけ保存しておき、文書中には必要な部分だけを指定するポインタ情報を含めるだけでよいため、送信対象のデータ量が削減され、文書の扱いを簡単化することが可能となる。
【手続補正１５】
【補正対象書類名】明細書
【補正対象項目名】００３６
【補正方法】削除
【補正の内容】
【手続補正１６】
【補正対象書類名】明細書
【補正対象項目名】００３７
【補正方法】削除
【補正の内容】
【手続補正１７】
【補正対象書類名】明細書
【補正対象項目名】００３８
【補正方法】削除
【補正の内容】
【手続補正１８】
【補正対象書類名】明細書
【補正対象項目名】００３９
【補正方法】削除
【補正の内容】
【手続補正１９】
【補正対象書類名】明細書
【補正対象項目名】００４０
【補正方法】削除
【補正の内容】
【手続補正２０】
【補正対象書類名】明細書
【補正対象項目名】００４１
【補正方法】削除
【補正の内容】
【手続補正２１】
【補正対象書類名】明細書
【補正対象項目名】００４２
【補正方法】変更
【補正の内容】
【００４２】
また、請求項７記載の発明は、イベントを含むマルチメディアデータと共に、イベントの発生時刻を記録したサーバを機能させるための文書作成プログラムを記録した記録媒体であって、ネットワークを介して接続されたクライアントから指定されたマルチメディアデータの所定の部分のデータをクライアントへ送信する処理をサーバに実行させるための文書作成プログラムを記録した。
【手続補正２２】
【補正対象書類名】明細書
【補正対象項目名】００４３
【補正方法】変更
【補正の内容】
【００４３】
これにより、請求項７記載の発明では、時間的に変化するマルチメディアデータの中から、必要な部分だけを容易に選択することで、価値の高いマルチメディア文書を簡単に作成する環境を提供することが可能となる。
【手続補正２３】
【補正対象書類名】明細書
【補正対象項目名】００４４
【補正方法】変更
【補正の内容】
【００４４】
更に、請求項８記載の発明は、イベントが、発話又は加筆であることを特徴としている。
【手続補正２４】
【補正対象書類名】明細書
【補正対象項目名】００４５
【補正方法】変更
【補正の内容】
【００４５】
これにより、請求項８記載の発明では、発言や筆記具による加筆という、特に会議シーンの撮影といった状況で、人間にとって自然な行動を採用し、撮影時に被写体に特別な負担をかけることなく、有効な事象情報を利用することが可能となる。
【手続補正２５】
【補正対象書類名】明細書
【補正対象項目名】００４６
【補正方法】変更
【補正の内容】
【００４６】
また、請求項９記載の発明は、イベントを含むマルチメディアデータと共に、イベントの発生時刻を記録したサーバにネットワークを介して接続するクライアントを機能させるための文書作成プログラムを記録した記録媒体であって、クライアントに、表示している映像から所定の期間に含まれるイベントの発生時刻を時間軸に沿って表示させ、表示の内容に基づいて、マルチメディアデータの所定の部分の指定をユーザに入力させ、所定の部分を指定するデータを生成させる処理を実行させるための文書作成プログラムを記録した。
【手続補正２６】
【補正対象書類名】明細書
【補正対象項目名】００４７
【補正方法】変更
【補正の内容】
【００４７】
これにより、請求項９記載の発明では、送信側及び受信側のユーザにとって簡易な機能で容易に動画データを編集することが可能となる。
【手続補正２７】
【補正対象書類名】明細書
【補正対象項目名】００４８
【補正方法】変更
【補正の内容】
【００４８】
即ち、請求項９記載の発明によれば、時間的に変化するマルチメディアデータの中から、必要な部分だけを容易に選択することで、価値の高いマルチメディア文書を簡単に作成する環境を提供することが可能となる。
【手続補正２８】
【補正対象書類名】明細書
【補正対象項目名】００４９
【補正方法】変更
【補正の内容】
【００４９】
更に、請求項１０記載の発明は、クライアントに、再生する期間以外も再生するデータを含ませて、再生する期間を指定するデータを生成させ、又は再生する期間を指定するデータとして、表示対象となるマルチメディアデータを識別する情報と、再生する期間を指定する情報と、を含むデータを生成させることを特徴としている。
【手続補正２９】
【補正対象書類名】明細書
【補正対象項目名】００５０
【補正方法】変更
【補正の内容】
【００５０】
これにより、請求項１０記載の発明では、範囲指定されたマルチメディアデータを表示する際に、簡単な操作により指定範囲外のマルチメディアデータを表示することが可能となり、ユーザ毎に異なる要求に対応することが可能となる。また、マルチメディアデータ自体を、ネットワーク中に一つだけ保存しておき、文書中には必要な部分だけを指定するポインタ情報を含めるだけでよいため、送信対象のデータ量が削減され、文書の扱いを簡単化することが可能となる。
【手続補正３０】
【補正対象書類名】明細書
【補正対象項目名】００５１
【補正方法】削除
【補正の内容】
【手続補正３１】
【補正対象書類名】明細書
【補正対象項目名】００５２
【補正方法】削除
【補正の内容】
【手続補正３２】
【補正対象書類名】明細書
【補正対象項目名】００５３
【補正方法】削除
【補正の内容】
【手続補正３３】
【補正対象書類名】明細書
【補正対象項目名】００５４
【補正方法】削除
【補正の内容】
【手続補正３４】
【補正対象書類名】明細書
【補正対象項目名】００５５
【補正方法】削除
【補正の内容】
【手続補正３５】
【補正対象書類名】明細書
【補正対象項目名】００５６
【補正方法】削除
【補正の内容】
【手続補正３６】
【補正対象書類名】明細書
【補正対象項目名】００７８
【補正方法】変更
【補正の内容】
【００７８】
また、本発明は、上記のような特徴のほかに、更に、ネットワークを介して接続されたクライアントに、指定する所定の部分の修正をユーザに入力させ、修正後の所定の部分を指定するデータを生成させる。また、本発明は、文書閲覧ユーザの操作により、第１の記録手段で記録されたデータのうち、上記指定手段で指定された部分を表示するためのデータとして、表示時に文書閲覧ユーザの操作により、上記のような機能を実行可能なデータを生成することを特徴とするものである。
【手続補正３７】
【補正対象書類名】明細書
【補正対象項目名】００９４
【補正方法】変更
【補正の内容】
【００９４】
また、本発明は、上記のような特徴のほかに、更に、ネットワークを介して接続されたクライアントに、指定する所定の部分の修正をユーザに入力させ、修正後の所定の部分を指定するデータを生成させる。また、本発明は、第１の記録手段で記録されたデータのうち、指定手段で指定された部分を表示するためのデータとして、文書閲覧ユーザの操作により、上記のような機能を実行可能なデータを生成するよう機能させることを特徴とするものである。
【手続補正３８】
【補正対象書類名】明細書
【補正対象項目名】０１１２
【補正方法】変更
【補正の内容】
【０１１２】
また、本発明は、上記のような特徴のほかに、更に、ネットワークを介して接続されたクライアントに、指定する所定の部分の修正をユーザに入力させ、修正後の所定の部分を指定するデータを生成させる。また、本発明は、第１の記録手段で記録されたデータのうち、指定手段で指定された部分を表示するためのデータとして、文書閲覧ユーザの操作により、上記のような機能を実行可能なデータを生成するためのプログラムを記録したコンピュータ読み取り可能な記録媒体である。
【手続補正３９】
【補正対象書類名】明細書
【補正対象項目名】０２００
【補正方法】変更
【補正の内容】
【０２００】
更に、請求項３記載の発明によれば、クライアントに、再生する期間を指定するデータとして、表示対象となるマルチメディアデータを識別する情報と、再生する期間を指定する情報と、を含むデータを生成させることを特徴とし、これにより、マルチメディアデータ自体は、ネットワーク中に一つだけ保存しておき、文書中には必要な部分だけを指定するポインタ情報を含めるだけでよいため、送信対象のデータ量が削減され、文書の扱いを簡単化することが可能となる。
【手続補正４０】
【補正対象書類名】明細書
【補正対象項目名】０２０１
【補正方法】削除
【補正の内容】
【手続補正４１】
【補正対象書類名】明細書
【補正対象項目名】０２０２
【補正方法】変更
【補正の内容】
【０２０２】
また、請求項４記載の発明によれば、イベントを含むマルチメディアデータと共に、イベントの発生時刻を記録したサーバを機能させるための文書作成プログラムであって、ネットワークを介して接続されたクライアントから指定されたマルチメディアデータの所定の部分のデータをクライアントへ送信する処理を前記サーバに実行させ、これにより、時間的に変化するマルチメディアデータの中から、必要な部分だけを容易に選択することで、価値の高いマルチメディア文書を簡単に作成する環境を提供することが可能となる。
【手続補正４２】
【補正対象書類名】明細書
【補正対象項目名】０２０３
【補正方法】変更
【補正の内容】
【０２０３】
また、請求項５記載の発明によれば、イベントを含むマルチメディアデータと共に、イベントの発生時刻を記録したサーバにネットワークを介して接続するクライアントを機能させるための文書作成プログラムであって、クライアントに、表示している映像から所定の期間に含まれるイベントの発生時刻を時間軸に沿って表示させ、表示の内容に基づいて、マルチメディアデータの所定の部分の指定をユーザに入力させ、所定の部分を指定するデータを生成させる処理を実行させ、これにより、送信側及び受信側のユーザにとって簡易な機能で容易に動画データを編集することが可能となる。即ち、請求項５記載の発明によれば、時間的に変化するマルチメディアデータの中から、必要な部分だけを容易に選択することで、価値の高いマルチメディア文書を簡単に作成する環境を提供することが可能となる。
【手続補正４３】
【補正対象書類名】明細書
【補正対象項目名】０２０４
【補正方法】変更
【補正の内容】
【０２０４】
更に、請求項６記載の発明によれば、クライアントに、再生する期間以外も再生するデータを含ませて、再生する期間を指定するデータを生成させることを特徴とし、これにより、範囲指定されたマルチメディアデータを表示する際に、簡単な操作により指定範囲外のマルチメディアデータを表示することが可能となり、ユーザ毎に異なる要求に対応することが可能となる。
【手続補正４４】
【補正対象書類名】明細書
【補正対象項目名】０２０５
【補正方法】変更
【補正の内容】
【０２０５】
更に、請求項６記載の発明によれば、クライアントに、再生する期間を指定するデータとして、表示対象となるマルチメディアデータを識別する情報と、再生する期間を指定する情報と、を含むデータを生成させることを特徴とし、これにより、マルチメディアデータ自体は、ネットワーク中に一つだけ保存しておき、文書中には必要な部分だけを指定するポインタ情報を含めるだけでよいため、送信対象のデータ量が削減され、文書の扱いを簡単化することが可能となる。
【手続補正４５】
【補正対象書類名】明細書
【補正対象項目名】０２０６
【補正方法】削除
【補正の内容】
【手続補正４６】
【補正対象書類名】明細書
【補正対象項目名】０２０７
【補正方法】削除
【補正の内容】
【手続補正４７】
【補正対象書類名】明細書
【補正対象項目名】０２０８
【補正方法】変更
【補正の内容】
【０２０８】
また、請求項７記載の発明によれば、イベントを含むマルチメディアデータと共に、イベントの発生時刻を記録したサーバを機能させるための文書作成プログラムを記録した記録媒体であって、ネットワークを介して接続されたクライアントから指定されたマルチメディアデータの所定の部分のデータをクライアントへ送信する処理をサーバに実行させるための文書作成プログラムを記録し、これにより、時間的に変化するマルチメディアデータの中から、必要な部分だけを容易に選択することで、価値の高いマルチメディア文書を簡単に作成する環境を提供することが可能となる。
【手続補正４８】
【補正対象書類名】明細書
【補正対象項目名】０２０９
【補正方法】変更
【補正の内容】
【０２０９】
更に、請求項８記載の発明によれば、イベントが、発話又は加筆であることを特徴とし、これにより、発言や筆記具による加筆という、特に会議シーンの撮影といった状況で、人間にとって自然な行動を採用し、撮影時に被写体に特別な負担をかけることなく、有効な事象情報を利用することが可能となる。
【手続補正４９】
【補正対象書類名】明細書
【補正対象項目名】０２１０
【補正方法】変更
【補正の内容】
【０２１０】
また、請求項９記載の発明によれば、イベントを含むマルチメディアデータと共に、イベントの発生時刻を記録したサーバにネットワークを介して接続するクライアントを機能させるための文書作成プログラムを記録した記録媒体であって、クライアントに、表示している映像から所定の期間に含まれるイベントの発生時刻を時間軸に沿って表示させ、表示の内容に基づいて、マルチメディアデータの所定の部分の指定をユーザに入力させ、所定の部分を指定するデータを生成させる処理を実行させるための文書作成プログラムを記録し、これにより、送信側及び受信側のユーザにとって簡易な機能で容易に動画データを編集することが可能となる。即ち、請求項９記載の発明によれば、時間的に変化するマルチメディアデータの中から、必要な部分だけを容易に選択することで、価値の高いマルチメディア文書を簡単に作成する環境を提供することが可能となる。
【手続補正５０】
【補正対象書類名】明細書
【補正対象項目名】０２１１
【補正方法】変更
【補正の内容】
【０２１１】
更に、請求項１０記載の発明によれば、クライアントに、再生する期間以外も再生するデータを含ませて、再生する期間を指定するデータを生成させることを特徴とし、これにより、範囲指定されたマルチメディアデータを表示する際に、簡単な操作により指定範囲外のマルチメディアデータを表示することが可能となり、ユーザ毎に異なる要求に対応することが可能となる。
【手続補正５１】
【補正対象書類名】明細書
【補正対象項目名】０２１２
【補正方法】変更
【補正の内容】
【０２１２】
更に、請求項１０記載の発明によれば、クライアントに、再生する期間を指定するデータとして、表示対象となるマルチメディアデータを識別する情報と、再生する期間を指定する情報と、を含むデータを生成させることを特徴とし、これにより、マルチメディアデータ自体を、ネットワーク中に一つだけ保存しておき、文書中には必要な部分だけを指定するポインタ情報を含めるだけでよいため、送信対象のデータ量が削減され、文書の扱いを簡単化することが可能となる。
【手続補正５２】
【補正対象書類名】明細書
【補正対象項目名】０２１３
【補正方法】削除
【補正の内容】
【手続補正５３】
【補正対象書類名】明細書
【補正対象項目名】０２１４
【補正方法】削除
【補正の内容】